(57)【要約】      （修正有）【課題】  自分に合ったダイエットノウハウを見つけるために、何時でも携帯電話端末あるいは情報端末から見つけ出すことができるダイエット検索システムを提供する。【解決手段】  利用者は、利用者端末により通信ネットワークを介して接続し、記録管理サーバに自分独自のダイエット管理ページを持てる。一定期間データを入力後、そのデータと利用者のコメントを参考に管理栄養士は、ダイエット診断を管理栄養士データベースに蓄積し、利用者へ送信する。利用者は、日々の自己管理データを利用者入力記録データベースで自己管理するだけでなく、日々入力した自己管理データに対応する必要なダイエットノウハウがダイエットカルテデータベースからその場で自動的に送信される。自分に必要なダイエットノウハウを見つけるために、地図を検索する機能に似たナビゲーションシステムを利用して容易に見つけ出す事のできるダイエットナビゲーションシステムである。【選択図】図１
2005135358.tif 000002
【特許請求の範囲】
【請求項１】
利用者は通信ネットワークを介し、記録管理サーバにアクセス後、自分専用のページにログインして、日々の自分自身のデータを入力する。具体的には体重、体脂肪率などの数値。水分や野菜の摂取が十分であったか、少なめか、ほとんど摂れなかったか、あるいは便通があったか、なかったか。また、ダイエット関連商品、例えばダイエットクッキーやミネラル、ダイエットサプリメントなどを摂取したか、しなかったかなどの幾つかの分類から選択する。さらに、食事の内容を入力した後、送信を行う。個々人の日々のデータは、利用者入力記録管理データベースの個人専用ページに記録され、本人が、いつでも記録を確認できる事を特徴とするダイエットナビゲーションシステム。
【請求項２】
請求項１における通信ネットワークを介して接続されている利用者の携帯電話端末あるいは情報端末から送信された日々データ入力後収集された利用者入力記録データベースに基づき、そのデータ入力の選択の組み合わせにより、複数のダイエットの為のノウハウが格納されたダイエットカルテデータベースを参照し、ダイエット計画を順調に推進される為のノウハウをシミュレートして利用者携帯端末あるいは情報端末に情報を提供できる事を特徴とするダイエットナビゲーションシステム。
【請求項３】
請求項１における通信ネットワークを介して接続されている利用者の携帯電話端末あるいは情報端末から送信された、日々データ入力後収集された利用者情報のデータベースに基づき、最新の自分の体重や体脂肪率、身長と最新の体重から計算されたＢＭＩ値などの推移が表あるいはグラフによりリアルタイムで表示する機能を有している事を特徴とするダイエットナビゲーションシステム。
【請求項４】
請求項１における通信ネットワークを介して接続されている利用者の携帯電話端末あるいは情報端末から送信された、日々データ入力後収集された利用者入力記録データベースと、事前に利用者プロファイルデータベースに登録あるいは更新された利用者の最新個人サイズ情報の身長、体重、バスト、ウエスト、ヒップ、二の腕、太もも、ふくらはぎ、足首などの数値をダイエットカルテデータベースに格納されている計算式により求められた年代別理想サイズの表示と利用者の数値と対比させ表あるいはグラフにより表示する機能を有している事を特徴とするダイエットナビゲーションシステム。
【請求項５】
請求項１における通信ネットワークを介して接続されている利用者の携帯電話端末あるいは情報端末から送信された、日々データ入力後収集された利用者入力記録データベースに基づき、管理栄養士へ利用者の経過情報が表示される。その情報を基に、管理栄養士がその利用者に最適なアドバイス情報を発信し、管理栄養士データベースに蓄積される。利用者は、利用者専用のページから、管理栄養士の記載画面を表示した上で、そのページから管理栄養士データベースに格納されている蓄積データであるダイエットカルテを表示させる事ができる事を特徴とするダイエットナビゲーションシステム。
【請求項６】
通信ネットワークを介して接続されているインターネットを利用してダイエットカルテデータベースにアクセスした利用者は、自分に必要なダイエットノウハウを見つけるために、地図を検索する機能に似たナビゲーションシステムを利用して見つけ出す検索システム機能を有している事を特徴とするダイエットナビゲーションシステム。
【請求項７】
請求項６におけるシステムを利用して、利用者に必要な情報を、ダイエットの為のノウハウが格納されているダイエットカルテデータベースから結び付け表示する為の機能を有している事を特徴とするダイエットナビゲーションシステム。
【請求項８】
通信ネットワークを介して接続されているインターネットを利用してダイエットナビゲーションシステムにアクセスした利用者には、利用者ごとの専用ページを発行する。利用者専用ページ発行の段階で、利用者から見た場合、商品あるいはサービスを購入した代理店の擬似専用ページとして表示させることが出来る。この表示機能を利用した利用者専用ページシステムは、代理店が独自で作成した専用のページと同じ効果があるシステムである。利用者専用ページの発行能力の無い代理店に対して、代理店の代わりに利用者専用ページを発行する擬似代理店ページ製作を行う機能を有している事を特徴とするダイエットナビゲーションシステム。
【請求項９】
通信ネットワークを介して接続されている利用者の携帯電話端末あるいは情報端末からアクセスされ、表示させる利用者専用ページには、商品の注文ページがある。単純に、プログラム主催者に発注するのではなく、各代理店のメールアドレスに対して、注文が発注される代理店向け注文発注システムを組み込んだ機能を有している事を特徴とするダイエットナビゲーションシステム。
【請求項１０】
携帯電話端末で利用できる会員専用の利用は、従来パスワードや会員番号など認証の為の入力が必要であったが、携帯電話のメールアドレスは、それぞれの携帯電話端末に、ひとつしか存在しない。その仕組みを利用して、本人確認の手段として、携帯電話のメールアドレスを本人確認のパスワード代わりに利用する機能を有している事を特徴とするダイエットナビゲーションシステム。
【請求項１１】
請求項１０記載のパスワードの代わりになる確認方法のシステムにより、サーバ上の各個人の専用ページにアクセスできる機能を有している事を特徴とするダイエットナビゲーションシステム。
【発明の詳細な説明】
【技術分野】
【０００１】本発明は間違ったダイエット方法によりリバウンドに悩んだり、健康を害したりする人々に対し、自分に合ったダイエットノウハウを見つけるために、地図検索機能に似たダイエットナビゲーションシステムを開発して２４時間、何時でも気軽に携帯電話端末あるいは情報端末から見つけ出すことができるためのダイエット検索に関するシステムである。
【背景技術】
【０００２】このダイエットナビゲーションシステムは管理栄養士などの専門家がケアできるだけでなく、ダイエットカルテデータベース２０４を利用してダイエットに対する疑問を２４時間、いつでも解決できるシステムである。自分に必要なダイエットノウハウを見つけるために、地図を検索する機能に似たナビゲーションシステムを利用して容易に見つけ出す事のできるダイエットナビゲーションシステムである。また、各代理店が、記録管理サーバ３００を使用することにより、代理店そのものが管理栄養士によるダイエット診断やダイエットカルテデータベース２０４を主催していると同じ効果が見込まれ、代理店の信用力増大に結びつく。さらに、注文発注システムにより、確実に代理店への注文が行き届くことができる。
【発明の開示】
【発明が解決しようとする課題】
【０００３】従来、健康食品業界には商品の販売を重点的に行い、専門家によるアフターケアや説明を行う業者は少なかった。売りっぱなしの健康食品に対して対策を講じているところもあるが、電話対応やＦＡＸ、郵便やパソコンのメール対応が中心である。従来のこうした対応の問題点は、正確で信頼できるアフターケアがなかった点である。【０００４】本発明は、以上のような業界を含めた問題点を解消するために開発されたシステムであり、利用者が、２４時間、何時でも気軽に携帯電話端末あるいは情報端末から自分に必要なダイエットノウハウを見つけるために、地図を検索する機能に似たナビゲーションシステムを利用して容易に見つけ出す事のできるダイエットナビゲーションシステムである。
【課題を解決するための手段】
【０００５】本発明に係るダイエットナビゲーションシステムは、利用者が、予めプログラム主催会社に、郵送、ＦＡＸもしくはインターネットを利用したＥメールにて、利用者の住所、氏名、生年月日、性別、メールアドレス、携帯番号、電話番号、個人サイズ情報である身長、体重、バスト、ウエスト、ヒップ、二の腕、太もも、ふくらはぎ、足首などの数値を送付し、プログラム主催会社からメールアドレス宛てにパソコン利用者にはパスワード、会員番号を発行し、携帯電話サイト利用者にはログインアドレスの送信を行い記録管理サーバ３００にログインしてもらうことにより利用できる。【０００６】利用者は、利用者端末１０ａを使用して、通信ネットワーク１００を介し、記録管理サーバ３００にアクセス後、自分専用のページにログインして、日々の自分自身のデータを入力する。具体的には体重、体脂肪率などの数値。水分や野菜の摂取が十分であったか、少なめか、ほとんど摂れなかったか、あるいは便通があったか、なかったか、また、ダイエットクッキーやミネラル、ダイエットサプリメントなどを摂取したか、しなかったかなどの幾つかの分類から選択する。さらに、食事の内容を入力した後、送信を行う。個々人の日々のデータは、利用者入力記録管理データベース２０２の個人専用ページに記録され、本人は、いつでも記録を確認できる。【０００７】利用者端末１０ａから送信された日々データは、利用者入力記録管理データベース２０２に入力される。その後、収集された利用者入力記録データベース２０２に基づき、そのデータ入力の選択の組み合わせにより、複数のダイエットの為のノウハウが格納されたダイエットカルテデータベース２０４を参照し、ダイエット計画を順調に推進される為のノウハウをシミュレートして利用者携帯端末１０ａに情報を提供する。【０００８】利用者携帯端末１０ａから送信された、日々データ入力後、収集された利用者入力記録管理データベース２０２に基づき、最新の自分の体重や体脂肪率、身長と最新の体重から計算されたＢＭＩ値などの推移が、表あるいはグラフによりリアルタイムで表示される。【０００９】利用者携帯端末１０ａから送信された、日々のデータ入力後収集された利用者入力記録データベース２０２と、事前に利用者プロファイルデータベース２０１に登録あるいは更新された利用者の最新個人サイズ情報の身長、体重、バスト、ウエスト、ヒップ、二の腕、太もも、ふくらはぎ、足首などの数値を、ダイエットカルテデータベース２０４に格納されている計算式により求められた年代別理想サイズの表示と利用者の数値と対比させ数値により年代別理想サイズを表示する。【００１０】利用者携帯端末１０ａから送信された、日々のデータ入力後収集された利用者入力記録データベース２０２に基づき、管理栄養士へ利用者の経過情報が表示される。その情報を基に、管理栄養士が、その利用者に最適なアドバイス情報を発信し、管理栄養士データベース２０３に蓄積される。利用者は、利用専用のページから、管理栄養士の記載画面を表示した上で、管理栄養士データベース２０３に格納されている蓄積データであるダイエットカルテを表示させる事ができる。【００１１】通信ネットワーク３００を介して、接続されているインターネットを利用してダイエットカルテデータベース２０４にアクセスした利用者は、自分に必要なダイエットノウハウを見つけるために、地図を検索する機能に似たナビゲーションシステムを利用して利用者に必要な情報を、ダイエットの為のノウハウが格納されているダイエットカルテデータベース２０４から結び付け表示する。【００１２】ダイエットナビゲーションシステムに通信ネットワーク３００を介してアクセスした利用者に表示させる利用者専用ページは、利用者ごとの専用ページを発行するシステムである。利用者専用ページ発行の段階で、利用者が商品あるいはサービスを購入した代理店の擬似専用ページとして表示させることが出来る。この表示機能を利用した利用者専用ページシステムは、代理店が自身で作成した専用のページと同じ効果があるシステムである。会員専用ページの発行能力の無い代理店に対して、代理店の代わりに会員専用ページを発行する擬似代理店ページ製作を行う。【００１３】通信ネットワーク３００を介して接続されているインターネットを介して利用者端末１０ａのアクセスにより、表示させる利用者専用ページには、商品の発注ページがある。単純に、プログラム主催者に発注するのではなく、各代理店の専用メールに、注文が発注される代理店向け注文発注システムを組み込んだ。【００１４】携帯電話端末で利用できる会員専用の利用は、従来パスワードや会員番号入力が必要であったが、携帯電話のメールアドレスは、それぞれの携帯電話端末に、ひとつしか存在しない。その仕組みを利用して、本人確認の手段として、携帯電話のメールアドレスを本人確認のパスワード代わりに利用する。
【発明の効果】
【００１５】以上説明したように、本発明によれば、利用者端末１０ａから送信された日々データをもとに、利用者の体質や食生活、生活習慣に合致したダイエットノウハウの提供ができるだけでなく、売りっぱなしのイメージの強い健康食品業界の体質に一石を投じ得る発明である。ダイエットを実行する利用者にとって、管理栄養士のアドバイスやダイエットカルテによる、自分自身に適したダイエット方法をダイエットナビゲーションシステムにより的確検索し、みつけることができる発明により、内臓や筋肉細胞のなど減少により体重が減少するのではなく、不要な脂肪を中心に減少させ、身長から計算された利用者の理想サイズを実現できるようになるという優れた効果が得られる。
【発明を実施するための最良の形態】
【００１６】以下、本発明のダイエットナビゲーションシステムの実施するための最良の形態について、図を参照して説明する。図１は、本発明の実施の形態におけるダイエットナビゲーションシステムの構成を示す概略図である。本システムは、利用者宅１０に設置された情報端末、もしくは携帯電話サイトによる利用者端末１０ａ、管理栄養士２０に設置された管理栄養士端末２０ａ、プログラム主催会社３０に設置されたプログラム主催会社端末３０ａ、販売代理店４０に設置された販売代理店端末４０ａ、記録管理サーバ３００に格納された、利用者プロファイルデータベース２０１、利用者入力記録データベース２０２、管理栄養士データベース２０３、ダイエットカルテデータベース２０４、代理店管理データベース２０５と、これらを相互に接続する通信ネットワーク１００から構成されている。【００１７】利用者端末１０ａは、通信ネットワーク１００にアクセスすることができる携帯電話端末やパーソナルコンピュータ等の情報端末から構成されたものである。利用者端末１０ａは、パスワードなどの認証を得た後、インターネットの画面上で、自分専用のページを表示させることができ、ダイエットナビゲーションシステムのメニューを表示させることができる。【００１８】利用者は、利用者端末１０ａにより、日々の自分自身のデータを入力する。具体的には体重、体脂肪率などの数値。水分や野菜の摂取が十分であったか、少なめか、ほとんど摂れなかったか、あるいは便通があったか、なかったか、また、ダイエットクッキーやミネラル、ダイエットサプリメントなどを摂取したか、しなかったかなどの幾つかの分類から選択する。さらに、食事の内容を入力した後、送信を行う。個々人の日々のデータは、利用者入力記録管理データベース２０２の個人専用ページに記録され、本人が、いつでも記録を確認できる。【００１９】利用者の利用者端末１０ａにより、日々の自分自身のデータを入力送信された日々データ入力後、収集された利用者入力記録データベース２０２に基づき、そのデータ入力の選択の組み合わせにより、複数のダイエットの為のノウハウが格納されたダイエットカルテデータベース２０４を参照し、ダイエット計画を順調に推進される為のノウハウをシミュレートして利用者端末１０ａに送信、利用者にアドバイスを行う。【００２０】ダイエットカルテデータベース２０４は、年代別理想サイズの計算式を有しており、利用者の身長と生年月日より、利用者の年代別理想サイズを算出できる。具体的なサイズ表記は、身長、体重、バスト、ウエスト、ヒップ、二の腕、太もも、ふくらはぎ、足首などである。利用者のサイズ表記は、利用者プロファイルデータベース２０１と日々のデータ入力の格納されている利用者入力記録データベース２０２を参照して表示される。利用者の年代別理想サイズと実際の利用者のサイズは、数値としての表あるいはグラフとして利用者端末１０ａにより表示される。【００２１】ダイエットカルテデータベース２０４は、自分自身に適したダイエット方法を地図検索のように的確に検索し、みつけることができる。選択式の応答システムにより個々人に適したダイエットノウハウが利用者端末１０ａにより表示される。【００２２】記録管理サーバ３００に設置してある利用者プロファイルデータベース２０１と日々のデータ入力の格納されている利用者入力記録データベース２０２を参照して、体重、体脂肪率、ＢＭＩ値などの、最新の入力情報を基に、数値としての表あるいはグラフとして利用者端末１０ａにより表示される。【００２３】利用者携帯端末１０ａから送信された、日々のデータは、利用者入力記録データベース２０２に記録される。収集された利用者入力情報に基づき、管理栄養士へ利用者の経過情報が表示される。その情報を基に、管理栄養士が、利用者に最適なアドバイス情報を発信し、管理栄養士データベース２０３に蓄積される。利用者は、利用専用のページから、管理栄養士の記載画面を表示した上で、管理栄養士データベース２０３に格納されている蓄積データであるダイエットカルテを表示させる事ができる。【００２４】利用者が、ダイエット商品やサプリメントの注文を出したい場合には、注文画面の表示を行い、各代理店に直接発注される。注文発注は、各代理店に通信ネットワーク１００を介して、Ｅメールにて直接発注される。顧客の代理店に対する注文や質問などの履歴は、代理店管理データベース２０５に格納される。【００２５】図２は、通信ネットワーク１００を介して行われる、この発明の処理を観念的に表すフローチャートである。まず、ステップＳ１０１で、利用者が、利用者端末１０ａを介して記録管理サーバ３００が提供しているホームページにアクセスし、データ入力画面を送出すると、ステップＳ１０２で、記録管理サーバ３００から、入力画面が送出される。この結果、利用者端末１０ａには、図４に示すような利用者専用送信ページが表示され、パスワードの代わりに、利用者携帯端末１０ａの登録メールアドレスを認識し、専用ページへのアクセスが可能になる。利用者端末１０ａがパーソナルコンピュータなどの情報端末の場合、パスワードと会員番号を入力の上、送信すると、利用者専用送信ページが表示される。【００２６】図５に示すような入力内容に対するデータが利用者により利用者端末１０ａに入力されると、ステップＳ１０３で入力されたデータが、ステップＳ１０４により記録管理サーバ３００に送出され保存される。一定期間の保存データ蓄積（ステップＳ１０５）の後、管理栄養士２０はステップＳ１０６により、保存データ表示画面送出を行い、保存データを閲覧（ステップＳ１０７）し、診断コメントを作成（ステップＳ１０８）、入力（ステップＳ１０９）を行い、ステップＳ１１０により診断コメントデータの保存をする。【００２７】ステップＳ１０５にて、一定期間の保存データ蓄積が無い利用者と、ステップＳ１１０により診断コメントデータの保存が終了した利用者には、図６の様な表示内容の選択画面が送出（ステップＳ１１１）される。ステップＳ１１２では、利用者が、年代別理想体重や、１ＷＥＥＫＳ、２ＷＥＥＫＳなどの表示内容を選択した後、図６に表示されるような参照データが出力される。【００２８】利用者は、利用者端末１０ａの表示画面にて参照データ（ステップＳ１１３）により、保存データを参照しない選択を行えば、図７に表示してある様な画面を、記録管理サーバ３００より情報として表示される。また、参照データ（ステップＳ１１３）において、保存データを参照する選択を行えば、記録管理サーバ３００よりステップＳ１１４によって、保存データ図８のような、最新のデータ蓄積のある体重や体脂肪率、ＢＭＩ値などの値が表やグラフにより、ステップＳ１１５の表示画面送出が行われ、利用者携帯端末１０ａにより、表示画面が閲覧できる。（ステップＳ１１６）【００２９】ステップＳ１１７において、一定期間の利用があれば、管理栄養士２０への質問（ステップＳ１１８）を、利用者端末１０ａにより、質問入力（ステップＳ１１９）を行い、送出できる。【００３０】管理栄養士２０は、ステップＳ１２０において質問内容を確認した後、記録管理サーバ３００により、利用者データを問合せ（ステップＳ１２１）、ステップＳ１２２により、保存画面を参照し、ステップＳ１２３で表示画面を送出する。【００３１】管理栄養士２０は、ステップＳ１２４において、保存データを閲覧した後、回答を作成し（ステップＳ１２５）、回答を送信（ステップＳ１２５）する。送信された情報は、記録管理サーバ３００に記録された後、ステップＳ１２７により回答が受信され、ステップＳ１２７で利用者端末１０ａにより、回答を閲覧できる。（ステップＳ１２８）【００３２】また、ステップＳ１１７において、一定期間の利用やステップＳ１１８において質問が無ければ、ステップＳ１２９の処理により、利用終了か、利用継続かの利用者端末１０ａ選択画面での判断を行い、利用継続の場合には、再びステップＳ１１１の処理にもどり、表示内容の選択画面が送出される。【００３３】ステップＳ１２９において利用終了の選択の場合には、記録管理サーバ３００に、終了通知（ステップＳ１３０）の指示が行われ、終了通知表示画面送出（ステップＳ１３１）が行われ、利用者端末１０ａの表示画面にて、ステップＳ１３２の終了通知表示画面閲覧が行われ、ステップＳ１３３によって終了される。
【実施例】
【００３４】図表を用いて、実際の実施例を説明する。まず、図３は、この発明ダイエットナビゲーションシステムの観念図である。記録管理サーバに、アクセスできるのは、プログラム主催者、ダイエット会員、管理栄養士、各代理店になる。記録管理サーバには、それぞれ会員マスタ、社員マスタ、栄養士マスタがあり、アクセスに関しては、それぞれの立場により入り口が決まっており、アクセスは制限される。【００３５】記録管理サーバのデータベースには、会員データや管理栄養士のコメント、管理栄養士への質問・回答データ、各代理店への注文・質問データ、主催者への質問・回答データなどが、蓄積される。この記録管理サーバには、インターネット介した通信ネットワークにより接続されることになる。特に、この実施例においては、携帯電話の普及もあり、利用者端末での説明は、携帯電話の利用を念頭に説明していきたい。【００３６】図４は、ダイエット会員が、自分独自のダイエット診断ページである「ダイエットナビゲーションシステム」にアクセスする方法である。携帯電話は、それぞれに一つだけのメールアドレスが記録される事により、パスワード認証の代わりに、利用者本人の携帯電話から発信されたメールアドレスが認証の為のパスワードになり、会員独自のページにアクセスする事ができる。【００３７】図５は、ダイエット会員が日々のデータを入力する画面である。具体的には体重、体脂肪率などの数値。水分や野菜の摂取が十分であったか、少なめか、ほとんど摂れなかったか、あるいは便通があったか、なかったか。また、ダイエットクッキーやミネラル、ダイエットサプリメントなどを摂取したか、しなかったかなどの幾つかの分類から選択する。さらに、食事の内容を入力した後、送信を行う。個々人の日々のデータは、利用者入力記録管理データベースの個人専用ページに記録され、本人は、いつでも記録を確認できる。【００３８】図６は、会員の最新個人サイズ情報の身長、体重、バスト、ウエスト、ヒップ、二の腕、太もも、ふくらはぎ、足首などの数値を記録管理サーバに格納されている計算式により求められた年代別理想サイズの表示と会員の数値と対比させ表あるいはグラフにより表示する機能の一例である。年代別理想サイズは、一定の計算式により算出され、会員が最新個人サイズ情報との比較を行うことにより、ダイエットの必要性のある部分を再認識できる。【００３９】図７は、会員が記録管理サーバに格納してあるデータを参照して呼び出すシステムの一例である。例えば、太る原因チェックを参照し、自分に関係が深いと思われる項目を選択するだけで、自分に最適のダイエットに対するアドバイスや警告が検索できる。このような地図の検索機能に似た方法を取り入れた「ダイエットナビゲーションシステム」を使うと、的確に会員の必要な情報にたどり着くことができる。【００４０】図８、図９は、最新の会員の体重や体脂肪率の入力を行うことにより、携帯電話のサイトにより、体重、体脂肪率、ＢＭＩ値などの変化が、表やグラフにより表示される。このように、毎日のダイエットに関する数値の変化を確認できることにより、ダイエットに対する意識を高めることができる。【００４１】図１０は、会員が管理栄養士に対して質問を行った答えと、管理栄養士が一定期間の会員による日々の入力データを基にダイエットコンサルタントを記入したデータを記録管理サーバより呼び出し、参照している図である。【００４２】図１１は、各代理店に対する注文入力画面である。携帯電話のサイトを利用することにより、会員は手軽に商品の注文ができる。購入意欲向上と人件費削減につながる方法である。【００４３】以上説明したように、本発明によれば、会員から送信された日々データをもとに、会員の体質や食生活、生活習慣に合致したダイエットノウハウの提供ができるだけでなく、売りっぱなしのイメージの強い健康食品業界の体質に一石を投じ得る発明である。ダイエットを実行する会員にとって、管理栄養士のアドバイスやダイエットカルテによる、会員自身に適したダイエット方法をダイエットナビゲーションシステムにより的確に検索し、みつけることができる発明により、内臓や筋肉細胞のなど減少により体重が減少するのではなく、不要な脂肪を中心に減少させ、身長から計算された利用者の理想サイズを実現できるようになるという優れた効果が得られるという実施例である。
【図面の簡単な説明】
【図１】図１は、この発明のダイエットナビゲーションシステムの概略図である。
【図２】図２は図１のダイエットナビゲーションシステムの動作例を示すフローチャートである。
【図３】図３は、ダイエットナビゲーションシステムの観念図である。
【図４】利用者端末１０ａが記録管理サーバ３００にログインするために表示される本人認証の表示画面の一例を示す説明図である。
【図５】利用者端末１０ａから、日々のデータを記録管理サーバ３００に記録するために送出されるダイエットナビゲーションシステムの一例を示す説明図である。
【図６】記録管理サーバ３００から利用者端末１０ａに送出される「ダイエットカルテ」の一例を示す説明図である。
【図７】記録管理サーバ３００から利用者端末１０ａに送出される、「太る原因チェック」の一例を示す説明図である。
【図８】記録管理サーバ３００から利用者端末１０ａに送出される、「体重の推移表ならびにグラフ」の一例を示す説明図である。
【図９】記録管理サーバ３００から利用者端末１０ａに送出される、「体脂肪率の推移表ならびにグラフ」の一例を示す説明図である。
【図１０】記録管理サーバ３００から利用者端末１０ａに送出される、「管理栄養士コメント」の一例を示す説明図である。
【図１１】記録管理サーバ３００から利用者端末１０ａに送出される、「代理店専用注文画面」の一例を示す説明図である。
【符号の説明】
１０…利用者宅
１０ａ…利用者端末
２０…管理栄養士
２０ａ…管理栄養士端末
３０…プログラム主催者
３０ａ…プログラム主催会社端末
４０…販売代理店
４０ａ…販売代理店端末
１００…通信ネットワーク
２０１…利用者プロファイルデータベース
２０２…利用者入力記録データベース
２０３…管理栄養士データベース
２０４…ダイエットカルテデータベース
２０５…代理店管理データベース
３００…通信ネットワーク
ａ…販売代理店→利用者（商品配送：郵便、宅配便など）
ｂ…利用者→プログラム主催会社（プロファイル送付：郵送、ＦＡＸ、Ｅメール）
ｃ…プログラム主催会社→記録管理サーバ（プロファイル設定：インターネット）
ｄ…プログラム主催会社→利用者（利用開始連絡：Ｅメール）
ｅ…利用者→記録管理サーバ（データ入力：インターネット）
ｆ…記録管理サーバ→管理栄養士（データ閲覧：インターネット）
ｇ…管理栄養士→記録管理サーバ（診断コメント入力：インターネット）
ｈ…利用者→記録管理サーバ（データ、診断コメント閲覧：インターネット）
ｉ…利用者→管理栄養士（質問：インターネット）
ｊ…管理栄養士→利用者（回答：Ｅメール）
【図１】
2005135358.tif 000003
【図２】
2005135358.tif 000004
【図３】
2005135358.tif 000005
【図４】
2005135358.tif 000006
【図５】
2005135358.tif 000007
【図６】
2005135358.tif 000008
【図７】
2005135358.tif 000009
【図８】
2005135358.tif 000010
【図９】
2005135358.tif 000011
【図１０】
2005135358.tif 000012
【図１１】
2005135358.tif 000013